(57)【要約】 【課題】 有機栽培で湿度の高いハウス（温室）等において、大量に発生するミミズを狙って出現するもぐらに対し、広い範囲にわたりその設置効果が得られ、取り扱いが簡単、すなわち防水性・耐久性に優れ、電池交換など保守をすることなく長期間にわたってその効力を継続できる音波振動によるもぐら避け装置を提供する。【解決手段】 音波振動の発生には、消費電力の小さな方式を採用し、かつ必要以上に電力を消費しないように間欠動作とする。基本は、周期の一定しない振動モーターを使用し、電源はソーラーパネルと充電式電池、乾電池を組み合わすハイブリッド構造で、天候や昼夜に関係なく、安定かつ長期間の使用に耐える独立電源方式とする。防水性に優れた構造のケースに収納し、発生させた音波振動を筐体から直接土壌に伝えるのではなく、ハウス（温室）等の構造物のフレームに取り付けることの出来る金具を用意して、音波振動をこのフレームを経由して伝えることで、ひとつの装置で広範囲にわたってもぐら避け効力を得る。【選択図】  図７０  
2005052117.tif 000002
【特許請求の範囲】
【請求項１】
ハウス（温室）等の構造物に取り付けることで、有機栽培の特徴でもある軟らかな地盤においても、広範囲に音波振動を伝え、広い範囲で効果の得られるもぐら避け装置。
【請求項２】
高温多湿なハウス（温室）等の中に設置しても、保守することなく、長期間性能が維持できる機械的な構造、および電力の安定供給が出来る独立電源方式を採用。ソーラーパネル（太陽電池）と充電式電池、通常の乾電池などの組合せが可能なハイブリッド構造のもぐら避け装置。
【請求項３】
本発明を、ハウス構造（部材）の中に組み入れることで、もぐらの侵入を防止することの出来るハウス構造（部材）に関すること。
【発明の詳細な説明】
【技術分野】
【０００１】
本発明は、畑の中に設備されたハウス（温室）等の構造物に取り付けが簡単で、湿度の高いハウス（温室）内で長時間の使用に耐えるだけの防水性能を有し、長期連続動作をさせるための電源（独立電源）を内蔵した音波振動によるもぐら避け装置の構造に関する。装置の電源としては、乾電池や商用電源、太陽光発電システムなどが挙げられるが、この限りではない。音波や振動の発生源としては、振動モーターや超音波発信子、ブザー等が挙げられるがこの限りではない。
【背景技術】
【０００２】
従来の技術は、乾電池を電源にしたものがほとんどで、電力の持続的供給に人手がかかっていた。また、直接筐体を土壌に差し込むことで、発する音波振動を土壌に伝え、もぐら避けの効果を得ていた。
【発明の開示】
【発明が解決しようとする課題】
【０００３】
まずモグラを進入させないこと、すなわち途切れることなく音波振動を出し続けるために、電力源の安定供給が重要であり、乾電池等の利用においては、もぐらの侵入でその電池切れに気付くような実体がある。また有機栽培の普及した昨今、軟らかな土壌であるため、もぐらの好物であるミミズが大量発生するうえに、従来の筐体から直接音波振動を地中に伝える方式であれば、わずかな距離でしかその効果を得ることが出来ず、広い面積に対して効果を得ようとすれば、多くのもぐら避け装置の設置が必要であり、費用対効果に問題があった。
【課題を解決するための手段】
【０００４】
本発明においては、全体の消費電力を少なくすることと、消費電力に対して余裕のあるソーラーパネル（太陽電池）と充電式電池を内蔵することで、電池切れにより途切れることなく連続動作を行うことを可能とした。湿度の高いハウス（温室）内では、商用電源など高圧は、漏電など危険を伴うため、低圧動作で設計した。また特別な使い方をも考慮し、市販の乾電池も使用できる乾電池ホルダーを内蔵、簡単に電池の交換ができる構造とする（ハイブリッド構造）。広範囲に音波振動を伝えるために、特にハウス（温室）など構造物の場合、そのフレームが地面に固定されていることに注目し、そのフレームに音波振動を伝えることが出来る金具を取り付けて、広範囲にわたってその効果を得る。
【発明の効果】
【０００５】
本発明により作られた装置を、一辺が２０ｍのビニルハウスの片面に１台設置し、１年間様子を見た。その結果この面からのもぐらの進入跡は１件もなかった。
すぐ近くまでは、もぐらが近づいた跡があり、ハウスの中は有機栽培により、もぐらの好物であるミミズが大量にいることは確認した。そこに行きたくてもいけなかった様子が分かる結果であった。
【発明を実施するための最良の形態】
【０００６】
消費電力の低減を図るために、音波振動源には振動モーターを採用、またその動作を効果に影響のない範囲で、間欠動作とする。完全防水のケースにもかかわらず電池交換が容易に行える構造とする。フレーム等取り付ける構造物の形状などで取付位置に関わらずソーラーパネルが効率よく働く方向（太陽）に向けることが出来るように、取付金具を工夫する。また、構造物（フレーム）と一体化することで、より低価格化が図れる。
【実施例】
【０００７】
実施例については、図を参照して説明する。本発明は図で示されるとおり、ソーラーパネル（太陽電池）「図１０」、充電式電池「図２０」、乾電池ホルダー「図２５」、振動モーター「図３０」、制御基板「図４０」、防水ケース「図５０」、取付金具「図６０」で構成される。構造物に取り付ける例は「図７０」のとおり。
【図面の簡単な説明】
【０００８】
【図１０】ソーラーパネル（太陽電池）を示した図である
【図２０】充電式電池を示した図である
【図２５】乾電池ホルダーを示した図である
【図３０】振動モーターを示した図である
【図４０】制御基板を示した図である
【図５０】防水ケースの構造を示した図である
【図６０】フレーム用取付金具の構造を示した図である
【図７０】パイプフレームをつかんだ様子を示した図である
【図１０】
2005052117.tif 000003
【図２０】
2005052117.tif 000004
【図２５】
2005052117.tif 000005
【図３０】
2005052117.tif 000006
【図４０】
2005052117.tif 000007
【図５０】
2005052117.tif 000008
【図６０】
2005052117.tif 000009
【図７０】
2005052117.tif 000010
【手続補正書】
【提出日】平成15年9月26日(2003.9.26)
【手続補正１】
【補正対象書類名】明細書
【補正対象項目名】０００７
【補正方法】変更
【補正の内容】
【０００７】
実施例については、図を参照して説明する。本発明は図で示されるとおり、ソーラーパネル（太陽電池）「図１」、充電式電池「図２」、乾電池ホルダー「図３」、振動モーター「図４」、制御基板「図５」、防水ケース「図６」、取付金具「図７」で構成される。構造物に取り付ける例は「図８」のとおり。
【手続補正２】
【補正対象書類名】明細書
【補正対象項目名】０００８
【補正方法】変更
【補正の内容】
【０００８】
【図１】ソーラーパネル（太陽電池）を示した図である
【図２】充電式電池を示した図である
【図３】乾電池ホルダーを示した図である
【図４】振動モーターを示した図である
【図５】制御基板を示した図である
【図６】防水ケースの構造を示した図である
【図７】フレーム用取付金具の構造を示した図である
【図８】パイプフレームをつかんだ様子を示した図である
【手続補正３】
【補正対象書類名】図面
【補正対象項目名】全図
【補正方法】変更
【補正の内容】
【図１】
2005052117.tif 000011
【図２】
2005052117.tif 000012
【図３】
2005052117.tif 000013
【図４】
2005052117.tif 000014
【図５】
2005052117.tif 000015
【図６】
2005052117.tif 000016
【図７】
2005052117.tif 000017
【図８】
2005052117.tif 000018